(57)【要約】特に衣料品および靴のための布地(10)であって、−  使用者の身体へ指向され、実質的に疎水性かつ通気性であるとともに、この布地(10)で製造された衣料品などの使用者から液相の汗および蒸気相の汗を排出するために適している内側の第１層(11)と、−  実質的に疎水性であり、かつ、液相の汗を内側の第１層(11)から外側の第３層(13)へ向けて移送するとともに、蒸気相の汗のための、第１層(11)から外方への優先通路を画定する中間の間隔確保用第２層(12)と、−  実質的に親水性であり、かつ、蒸気相の汗を透過させるために、第１層(11)から到達する液相の汗を吸収するために、そして、液相の汗をそれが外方へ蒸発することができるようにその大きい表面にわたって分布させるために適している外側の第３層(13)とを備えてなる布地(10)。これらの層(11,12,13)は、単一体を形成するように接合されている。
2009530139.tif 000002
【特許請求の範囲】
【請求項１】
特に衣料品および靴のための布地であって、
−  使用者の身体へ指向され、実質的に疎水性かつ通気性であるとともに、この布地(１０)で製造された衣料品などの使用者から液相の汗および蒸気相の汗を排出するために適している内側の第１層（１１）と、
−  実質的に疎水性であり、液相の汗を前記内側の第１層（１１）から外側の第３層（１３）へ向けて移送するとともに、蒸気相の汗のための、前記第１層（１１）から外方への優先通路を画定する中間の間隔確保用第２層（１２）と、
−  実質的に親水性であり、かつ、蒸気相の汗を透過させるために、第１層（１１）から到達する液相の汗を吸収するために、そして、前記液相の汗をそれが外方へ蒸発することができるようにその大きい表面にわたって分布させるために適している外側の第３層（１３）と
を備えてなり、
−  これらの層（１１，１２，１３）は、単一体を形成するように接合されている
ことを特徴とする布地。
【請求項２】
前記中間の第２層（１２）に形成された前記優先通路は、複数の平行なリブ（１５）によって形成された複数の溝（１４）によって設けられており、これらの溝（１４）は、特にほとんど垂直に配置されているときには、衣料品の下部領域から上方への蒸気相の汗の上昇を促進するように構成されていることを特徴とする請求項１に記載の布地。
【請求項３】
前記内側の第１層（１１）は、親水性布地の細長片（１６）によって形成されており、これらの細長片のそれぞれは、前記リブ（１５）の対応リブに影響を及ぼすように配置されていることを特徴とする請求項１または２に記載の布地。
【請求項４】
前記第１層（１１）は、ポリエステルあるいはポリプロピレンの疎水性繊維から、または他の等価な疎水性繊維から作られていることを特徴とする請求項１〜３のいずれか１つに記載の布地。
【請求項５】
前記第１層（１１）は、およそ１５０デニールの繊維寸法があるモノフィラメントによるポリエステル布地であることを特徴とする請求項４に記載の布地。
【請求項６】
前記中間の第２層（１２）は、ポリエステルあるいはポリプロピレンの疎水性繊維から、あるいは他の等価な疎水性繊維から作られていることを特徴とする請求項１〜５のいずれか１つに記載の布地。
【請求項７】
前記中間の第２層（１２）は、およそ３０デニールの繊維寸法があるポリエステルモノフィラメントから作られていることを特徴とする請求項６に記載の布地。
【請求項８】
前記第２層（１２）の前記モノフィラメントは、前記リブ（１５）を形成するように、第１層（１１）および第３層（１３）で織り合わされていることを特徴とする請求項７に記載の布地。
【請求項９】
前記第１層（１１）の対応細長片（１６）へ接合された前記第２層（１２）の前記リブ（１５）は、少なくとも２ミリメートルの、好ましくは３〜４ミリメートルの範囲にある厚さを有していることを特徴とする請求項１〜８のいずれか１つに記載の布地。
【請求項１０】
前記第１層（１１）の布地の細長片（１６）は、少なくとも２ミリメートルの、また多くとも６ミリメートルの幅を、好ましくはおよそ４ミリメートルの幅を有していることを特徴とする請求項１〜９のいずれか１つに記載の布地。
【請求項１１】
前記溝（１４）は、２つの連続するリブ（１５）どうしの間に３〜８ミリメートルの平均幅を有していることを特徴とする請求項１〜１０のいずれか１つに記載の布地。
【請求項１２】
前記溝（１４）は、好ましくは４ミリメートルの平均幅を有していることを特徴とする請求項１１に記載の布地。
【請求項１３】
通気性であって実質的に親水性である前記第３層（１３）は、木綿、リンネル、セルロース、プラスチックあるいは他の等価な繊維のうちから選択された少なくとも１つの親水性材料からなる繊維を含んでいることを特徴とする請求項１〜１２のいずれか１つに記載の布地。
【請求項１４】
親水性の前記第３層（１３）は、変性ポリアミド繊維、例えば６−ナイロンあるいは６６−ナイロンを含んでいることを特徴とする請求項１３に記載の布地。
【請求項１５】
親水性の前記第３層（１３）は、変性されたポリアミドおよびポリエステルの混合された混成繊維を含んでいることを特徴とする請求項１３に記載の布地。
【請求項１６】
前記第３層（１３）は、混合型繊維から作られた第１モノフィラメントとポリエステルから作られた第２モノフィラメントとの組み合わせからなっていることを特徴とする請求項１３に記載の布地。
【請求項１７】
混合型繊維から作られた前記第１モノフィラメントは、変性されたポリアミドおよびポリエステルから作られており、前記第２モノフィラメントは、ポリエステルから作られていることを特徴とする請求項１６に記載の布地。
【請求項１８】
混合型繊維から作られた前記第１モノフィラメントは、およそ９０デニールの繊維寸法を有しており、一方、ポリエステルから作られた前記第２モノフィラメントは、およそ１５０デニールの繊維寸法を有していることを特徴とする請求項１７に記載の布地。
【請求項１９】
通気性の前記内側第１層（１１１）は、細かく穴の開けられた連続状布地によって構成されていることを特徴とする請求項１，２，４〜７および１３〜１８のいずれか１つに記載の布地。
【請求項２０】
通気性の前記内側第１層（２１１）は、巨大穴が散乱状に開けられた布地によって構成されていることを特徴とする請求項１，４〜７および１３〜１８のいずれか１つに記載の布地。
【請求項２１】
前記第２層（２１２）は、前記第１層（２１１）と前記第３層（２１３）との間に、前記第１層（２１１）を形成する巨大穴が開けられた布地の穴（２１７，３１７）に影響を及ぼすことのないように存在していることを特徴とする請求項２０に記載の布地。
【請求項２２】
前記の穴（２１７，３１７）と前記第２層（２１２）における対応開口（２１８，３１８）とは、前記第１層（２１１）から外方への前記蒸気相のための前記優先通路を形成していることを特徴とする請求項２０または２１に記載の布地。
【請求項２３】
前記第２層（４１２）のリブ（４１５）は、前記第１層（４１１）から外方への蒸気相の汗のための前記優先通路をもたらすために、かつ、衣料品の下部領域から上方への蒸気相の汗の上昇を促進するために適している、それぞれの間に前記溝（４１４）が形成される実質的に管状の平行な要素（４１９）を画定するように、前記第１層（４１１）の対応部分によって包囲されていることを特徴とする請求項１，２，４〜７および１３〜１８のいずれか１つに記載の布地。
【請求項２４】
細長片（１６）あるいはこれらに対応する第１層部分（４１６）がある前記リブ（１５，４１５）は、前記布地（１０，４１０）と使用者の身体との間の接触のために設計された、前記第１層（１１，４１１）の全表面を形成しており、この表面は、使用者へ指向されている布地（１０，４１０）の全区域の５０％に等しいかあるいはそれよりも小さいことを特徴とする請求項１〜３，１３〜１８および２３のいずれか１つに記載の布地。
【請求項２５】
この布地は、重量パーセントが８％〜１５％の最小範囲から６０％〜７５％の最大範囲までの間にある親水性繊維を備えていることを特徴とする請求項１〜２４のいずれか１つに記載の布地。
【請求項２６】
この布地は、３４０±５ｇ／ｍ2に対して、１１％の親水性ナイロンと８９％のポリエステルとによって構成されていることを特徴とする請求項１〜２５のいずれか１つに記載の布地。
【請求項２７】
前記第３層（１３，１１３，２１３）の上およびその外側に、技術的な機能があるか、または、特殊な、化粧的な、あるいは装飾的な特性がある第４層が、積層されていることを特徴とする請求項１〜２６のいずれか１つに記載の布地。
【請求項２８】
前記第４層は、接着剤のスポットあるいは他の等価な手段によって、下にある前記第３層（１３，１１３，２１３）へ接合されていることを特徴とする請求項２７に記載の布地。
【請求項２９】
前記第４層は、防水性・通気性膜を備えていることを特徴とする請求項２７または２８に記載の布地。
【発明の詳細な説明】
【技術分野】
【０００１】
本発明は、特に衣料品および靴のための改良型布地に関するものである。
【背景技術】
【０００２】
衣料品は、これらが、保護用外装と、発汗が最も多く起きる身体の領域に進入穴のある空所を形成する内側層とを備えてなることを特徴とする点で、現在知られているとともに商業的に広く評価されている。
【０００３】
このような衣料品の提供は、同一発明者の文献である、国際出願公開パンフレット第０１０１８０３号、ヨーロッパ特許第１１９４０４９号および米国特許第６２６３５１１号に開示されている。
【０００４】
このように製造された衣料品によれば、通常は身体によって作られた温かい空気および蒸気の対流が可能になるとともに、これらがこの衣料品の最上部領域に配置された穴によって外側へ放出することができ、また、水、不純物および他のものを中に入れない装置が前記の穴に配置されている。
【発明の開示】
【発明が解決しようとする課題】
【０００５】
これらの衣料品は評価されているものの、これらには、これらのいっそう際立った普及が抑制されるという限界のあることが示された。
【０００６】
前記のような構造がある衣料品の提供は、実際には、その系を構成する相異なる複数の布地（少なくとも２種類の布地：外装と前記空所を形成する層とからなるが、通常は、実質的に常に存在している内側ライニングが含まれる３種類の布地）を切り取るとともに、これらをいっしょに縫い合わせるための多くの作業が必要であり、どちらかというと複雑であり、また費用が多くかかる。
【０００７】
さらにまた、前記衣料品はたいてい、特に良好な適合性がなく、特別な視覚的インパクトもほとんどなく、また、審美的な観点から常に許容できるというものでもない。それらは、同じ種類の通常の衣料品よりもかさばっているとともにより堅いように見えるうえ、さらに着用者の運動をいっそう困難にする。
【０００８】
ましてやなおさら、前掲の文書による衣料品の構造は、ニットウェアや特に下着類のような、柔軟性および快適性という高い品質を有していなければならない商品のために適したものではなく、これらの商品には、特に柔軟であって生理的に効果的な繊維が実際に必要である。
【０００９】
観察された別の制限は、現在の構造では液体になった凝縮状の汗を除去することができないという事実によるものであるが、その理由は、この目的のために特に用意されていない繊維に前記空所が設けられているからである。
【００１０】
これらの短所を未然に防ぐために、同一発明者の文献である、ヨーロッパ特許第１２６６５８４号および米国特許出願公開第２００２１８４９２７号には、ある構造を有している衣料品および靴のため布地が開示されており、この布地は、
−  ライニングとして作用するとともに凝縮状の汗を大きい表面にわたって分布させることのできる材料からなる内側層と、
−  衣料品の内側に凝縮した汗を外方へ移送することのできる材料からなる中間の間隔確保層と、
−  凝縮状の汗を、その即時蒸発を引き起こすように、かつ、その結果、全体の系を再生するように、きわめて大きい表面にわたって分布させることのできる材料からなる外側層と
を備えてなることを特徴とする。
【００１１】
これらの層は、単一要素を形成するように一体化されている。
【００１２】
この布地によれば、より大きい快適性、より良好な適合性、簡単で費用があまりかからない製造性および作業性がもたらされるが、この布地には、改良されてもよい側面もまた存在している。
【００１３】
具体的には、実質的に親水性である前記内側層では、一方において、凝縮した水蒸気の大きい表面にわたる分布が促進されるが、他方において、その水蒸気のこの布地の外側への逸出は促進されない。
【００１４】
さらにまた、このような中間の間隔確保層は、水と蒸気をかつ／または蒸気を吸収することなく運ぶことのできる繊維から作られており、それゆえ実質的に疎水性であるものの、前記内側層の全表面に実質的に影響を及ぼすように連続状に配置されている。
【００１５】
このように、前記内側層を通り抜ける蒸気は、疎水的特性を有しているもののその外方への逸出を妨げる繊維で密に充填された前記中間層を通り抜けなければならず、そのような布地の内側あるいは表面における好ましくない凝縮が助長される。
【００１６】
本発明の目標は、前掲の布地に関して、かつ、他の類似した公知の型の布地に関して、より良好な発汗作用および蒸気放散を行うことができる、特に衣料品および靴のための改良型布地を提供することである。
【００１７】
この目標の範囲内で、本発明の１つの目的は、より良好な適合性を有するとともに生理的にいっそう快適である改良型布地を提供することである。
【００１８】
本発明の別の目的は、マウンテンスポーツのための専用衣類からウィンタージャケットあるいはスポーツジャケットさらには下着に到るまでの最も類似点のない衣料品を設けるために採用することができる改良型布地を提供することである。
【００１９】
本発明の別の目的は、本発明による布地で得られた商品の使用者の身体における自然体温調節が可能である改良型布地を提供することである。
【００２０】
本発明のさらに別の目的は、公知のシステムおよび技術で費用をあまりかけることなく製造することができる改良型布地を提供することである。
【課題を解決するための手段】
【００２１】
この目標、これらの目的、および後にいっそう明らかになる他の目的は、特に衣料品および靴のための改良型布地であって、
−  使用者の身体へ指向され、実質的に疎水性かつ通気性であるとともに、この布地で製造された衣料品などの使用者から液相の汗および蒸気相の汗を排出するために適している内側の第１層と、
−  実質的に疎水性であり、かつ、液相の汗を前記内側の第１層から外側の第３層へ向けて移送するとともに、蒸気相の汗のための、前記第１層から外方への優先通路を画定する中間の間隔確保用第２層と、
−  実質的に親水性であり、かつ、蒸気相の汗を透過させるために、第１層から到達する液相の汗を吸収するために、そして、前記液相の汗をそれが外方へ蒸発することができるようにその大きい表面にわたって分布させるために適している外側の第３層と
を備えてなることを特徴とする布地によって達成される。
【００２２】
本発明のさらに別の特徴および利点は、添付図面において非限定的な例として示された、好ましいが限定的でない４つの実施形態の記載からいっそう明らかになる。
【発明を実施するための最良の形態】
【００２３】
図面によれば、本発明による特に衣料品および靴のための改良型布地は、図１に示された第１実施形態では、その全体が参照符号１０によって表わされている。
【００２４】
この改良型布地１０は、
−  使用者の身体へ指向され、実質的に疎水性かつ通気性であるとともに、この布地１０で製造された衣料品の使用者から蒸気相の汗および液相の汗を運び去るために適している内側の第１層１１と、
−  液相の汗を前記内側の第１層１１から外側の第３層１３へ向けて移送するための実質的に疎水性である中間の間隔確保用第２層１２であって、後にいっそう詳しく説明されるが、前記蒸気相の汗の通路のための、前記第１層１１からその外側への優先通路を形成している中間の第２層１２と、
−  実質的に親水性であり、かつ、蒸気相の汗を透過させるために、第１層１１から到達する液相の汗を吸収するために、そして、前記液相の汗をそれが外方へ蒸発することができるようにその大きい表面にわたって分布させるために適している外側の第３層１３と
を備えてなる。
【００２５】
前記第１層１１、前記第２層１２および前記第３層１３は、単一体を形成するように接合されている。
【００２６】
本発明の前記第１実施形態では、中間の第２層１２の上に形成された前記優先通路は複数の溝１４によって設けられており、これらの溝は複数の平行なリブ１５によって形成されている。
【００２７】
これらの溝１４は、特に、布地１０が属する衣料品の使用のための構造に関してほとんど垂直に配置されているときには、衣料品の下部領域から上方への蒸気相の汗の上昇を促進するように構成されている。
【００２８】
発汗によって作られた熱くて湿気の多い空気は実際、その熱のために自然に膨張しがちであり、また、常に下部領域から上方へ移動しがち（煙突効果）である。
【００２９】
本発明による改良型布地１０の第１実施形態では、内側の第１層１１は、親水性布地の細長片１６によって形成されており、これらの細長片のそれぞれは、対応リブ１５に影響を及ぼすように配置されている。
【００３０】
第１層１１、および従って、この第１層を構成する細長片１６は、ポリエステルあるいはポリプロピレンの疎水性繊維から、または必要に応じて他の等価な疎水性繊維から作られているのが好ましい。具体的には、第１層１１は、およそ１５０デニールの繊維寸法があるポリエステルのモノフィラメントから作られている。
【００３１】
中間の第２層１２は、疎水性のポリエステルあるいはポリプロピレンから作られているか、あるいは他の等価な疎水性繊維から作られている。具体的には、疎水性第２層１２は、およそ３０デニールの繊維寸法があるモノフィラメントによるポリエステル布地から作られている。
【００３２】
第２層１２の前記モノフィラメントは、リブ１５を形成するように、第１層１１の細長片１６と第３層１３とで織り合わされている。第２層１２のリブ１５は、対応している第１層１１の細長片１６へ接合されており、少なくとも２ミリメートルの、好ましくは３〜４ミリメートルの範囲にある厚さを有している。
【００３３】
第１層１１の布地の細長片１６には、少なくとも２ミリメートルの、また多くとも６ミリメートルの、そして好ましくはおよそ４ミリメートルの幅がある。
【００３４】
加えて、溝１４には、２つの連続するリブ１５どうしの間に３〜８ミリメートルの平均幅があり、好ましくは４ミリメートルの平均幅がある。
【００３５】
通気性であって実質的に親水性である第３層１３には、木綿、リンネル、セルロース、プラスチックあるいは他の等価な繊維のうちから選択された少なくとも１つの材料からなる繊維が含まれている。具体的には、前記第３層１３には、例えば６−ナイロンあるいは６６−ナイロンのような変性ポリアミド繊維が含まれている。
【００３６】
代案として、親水性の前記第３層１３には、変性されたポリアミドおよびポリエステルが混合された混成繊維、あるいは混合型繊維から作られた第１モノフィラメントとポリエステルから作られた第２モノフィラメントとの組み合わせが含まれている。
【００３７】
混合型繊維から作られた前記第１モノフィラメントは、例えば変性されたポリアミドおよびポリエステルから作ることができ、前記第２モノフィラメントは、ポリエステルから作ることができる。この混合型繊維から作られた第１モノフィラメントにはおよそ９０デニールの繊維寸法があるのが好ましく、一方、ポリエステルから作られた第２モノフィラメントにはおよそ１５０デニールの繊維寸法があるのが好ましい。
【００３８】
一般に、繊維は、親水的特性を備えるためには、重合の間にポリマー鎖の化学的改質を引き起こすことによって、あるいは、化学的に親水性の部位を前記ポリマー鎖の内部へあるいは前記ポリマー鎖の副産物として挿入することによって、変性される。代案として、前記親水性の部位をそれらの面に付着させるように繊維に化学的処理を施すことは可能である。
【００３９】
本発明による改良型布地１０は、その溝１４を備えており、前掲の布地に関して、かつ、他の類似した公知の型の布地に関して、蒸気相および液相の汗のより良好な放散が可能である。
【００４０】
蒸気相の汗の放散に関して、溝１４によれば実際に、汗は下方から上方へ連続的に移動し、都合のよいことにほとんど垂直に方位付けられている前記溝１４に沿って上昇することができる。これらの溝１４によって、蒸気相の汗がその上昇への障害に直面しない前掲の優先通路がもたらされ、従って、蒸気相の汗は、公知の布地あるいは前述の衣料品において生じる場合とは異なり、布地１０の中で凝縮するおそれがない。
【００４１】
さらにまた、内側の第１層１１は、親水性ではなくて実質的に疎水性であり、使用者の身体から中間の第２層１２へ向かい、次いで、その上に重なっている外側の第３層１３へ向かう液体の汗の移動を促進する（親水性の第１層で起きるようにその移動を妨げるのではなく）。
【００４２】
本発明による改良型布地１０の作用は、より大きい明瞭さのために図６に例示されている。
【００４３】
水滴２１によって概略的に表わされた液相の汗は、使用者の皮膚２０から流出する。使用者の身体の外側における温度条件および気圧条件に左右されるが、液相の汗２１は、一部が皮膚自体の熱のために蒸発するとともに、一部が液相のままで残る。
【００４４】
波線２３によって示された蒸気相の汗は、第１層１１を通り抜け、次いで、第２層１２の溝１４によってその上行移動が促進され、薄色の矢印２４によって表示された通路に従って上昇する。
【００４５】
改良型布地１０の上に存在している液相の汗２１は、皮膚２０から直接にあるいは蒸気相の汗２３の凝縮体から発生するが、このことは、衣料品の外側における温度条件および気圧条件が、皮膚２０と第１層１１との間の気圧および温度に関してこの状態遷移を引き起こすようなものであるときには、改良型布地１０の内部で起きることがある。
【００４６】
温度および気圧におけるこれらの差によって、液相の汗２１は、疎水性であってそれゆえ液体を通過させるのに適している第１層１１を通り抜け、その後、同じ作用によって、中間の第２層１２のリブ１５を通り抜けて外側の親水性第３層１３へ到達し、そこで拡散して、利用可能なより大きい表面にそれ自体まとまる。
【００４７】
液相の汗２１の通路は濃色の矢印２５によって表示されている。
【００４８】
第３層１３から、液相の汗は、蒸発することができるとともに、どのような場合にも第１層１１から間隔を置いて残り、それゆえ、その接触によって、多くの場合、不快感が生じる使用者の皮膚２０に接触していない箇所に残る。
【００４９】
本発明によるこのような改良型布地１０は、適度な厚さがあり、また、柔らかく、触って心地よいので、改善された適合性があるとともに、公知の布地よりも生理的に快適である。
【００５０】
従って、改良型布地１０は、マウンテンスポーツのための専用衣類からウィンタージャケットあるいはスポーツジャケットさらには下着に到るまでの最も類似点のない衣料品を作るために、良好に使用することができる。
【００５１】
図２に示され、かつ、その中で参照符号１１０によって表わされた本発明の第２実施形態では、布地１１０は、通気性の内側第１層１１１が、細かく穴の開けられた連続状布地によって、第２層１１２のリブ１１５の上方に構成されている、ことを特徴とする。
【００５２】
外側の第３層１１３は、ある意味では本発明の第１実施形態について説明されたものに充分に類似している、これまた親水性型のものである。
【００５３】
この改良型布地１１０では、これまた、蒸気相の汗のための優先通路を形成する溝１１４を画定するリブ１１５があるが、第１実施形態とは異なり、それらは、内側第１層１１１をもたらす微小穴が開けられた布地によって影響を受ける。
【００５４】
従って、このような内側第１層１１１には、本発明による改良型布地１０の第１実施形態の第１層１１をもたらす細長片１６によって設けられた同様の制限区域に関して、使用者の身体に接触するためのより大きい表面積がある。
【００５５】
本発明の第３実施形態が、図３および図４におけるその２つの変形例に示されている。
【００５６】
本発明による布地のこの第３実施形態の第１変形例２１０では、通気性の内側第１層２１１は巨大穴が散乱状に開けられた布地によって構成されている。
【００５７】
第２層２１２（前述の実施形態におけるように疎水特性を有している）は、第１層２１１と第３層２１３との間に、第１層２１１を形成する巨大穴が開けられた布地の穴２１７に影響を及ぼすことのないように存在している。
【００５８】
これらの穴２１７と第２層２１２における対応開口２１８とによって、蒸気相の汗が第１層２１１から外方へ流出するための優先通路が形成されている。
【００５９】
この布地の実施形態２１０では、実質的に網状である第２層２１２の全体構造を形成するように、先の第１実施形態１０および第２実施形態１１０の溝１４，１１４が、連続状に配置されているとともに平行線に沿ってずらされている開口２１８の組によって置き換えられている。
【００６０】
第２層２１２の幾何学的パターンを覆うように実質的に六角形の穴２１７が開けられている第１層２１１には、使用者の身体に接触するために設計された区域があり、この区域は、第２実施形態の同様の表面よりも小さい表面を有しており、加えて、前記リブおよび前記溝が設けられた本発明の第１実施形態よりもいっそう連続的な接触面である。
【００６１】
図４において参照符号３１０によって表わされた、本発明の第３実施形態の第２変形例では、実質的にダイアモンド形状である穴３１７および開口３１８が、第１方向に対して平行である線に沿って、また、前記第１層と同様な配置の平面に沿ってこの第１方向に垂直である第２方向に対して平行である線に沿って、設けられている。
【００６２】
図５に概略的に示され、かつ、その中で参照符号４１０によって表わされた、本発明の第４実施形態では、衣料品の下部領域から上方への蒸気の上昇を促進する、第１層４１１から外方への蒸気相の汗のための優先通路をもたらすように、それぞれの間に溝４１４が形成される実質的に管状の平行な要素４１９を形成するために、第２層４１２のリブ４１５が第１層４１１の対応部分４１６によって包囲されている。
【００６３】
本発明の第１実施形態１０の細長片１６があるリブ１５は、本発明の第４実施形態のそれに対応する第１層部分４１５があるリブ４１５と同様に、布地１０あるいは４１０と使用者の身体との間の接触のために設計された、第１層１１あるいは４１１の全表面を形成しており、この表面は、使用者へ指向されている布地１０あるいは４１０の全区域の５０％に等しいかあるいはそれよりも小さい。
【００６４】
接触面が減少した改良型布地１０あるいは４１０によれば、衣料品の着用が容易になり、その衣料品と使用者の身体との間の摩擦が減少する。
【００６５】
この明細書に記載されたいくつかの実施形態における改良型布地には、重量パーセントが８％〜１５％の最小範囲から６０％〜７５％の最大範囲までの間にある親水性繊維が備わっていてもよい。
【００６６】
この布地は例えば、３４０±５ｇ／ｍ2に対して、１１％の親水性ナイロンと８９％のポリエステルとによって構成することができる。
【００６７】
本発明による改良型布地にはさらに、前記第３層の上およびその外側に、技術的な機能があるか、あるいは特殊な、化粧的な、あるいは装飾的な模様付けに耐える第４層が備わっていてもよい。
【００６８】
簡単にするために示されていないこの第４層は、接着剤のスポットあるいは他の等価な手段によって、下にある前記第３層へ接合されている。この第４層には例えば防水性・通気性膜が備わっていてもよい。
【００６９】
本発明による改良型布地によれば、記載されたように、液状形態にあり、かつ／または、蒸気形態にある汗を、この衣料品を着用した使用者の身体から外方へ運ぶことができる。
【００７０】
すべての実施形態におけるこの改良型布地の作用原理は、汗が前記疎水性第１層によって押されて前記親水性第３層へ向かい、その第３層が汗を吸収して（汗を引き寄せて）、それを蒸発させるので、「プッシュプル」効果と名付けられている。
【００７１】
皮膚に隣接している前記内側第１層と周囲との間における湿度の大きい差によって、記載されたように、汗の外側への移動が導かれる。
【００７２】
記載された改良型布地が備わった衣料品あるいは靴を設けることで、人体によって作られた汗は、乾燥したままである前記内側第１層によって保持されることがない。
【００７３】
液相の汗は間隔確保用の前記第２層を通して運ばれ、一方、蒸気相の汗はこの第２層の溝あるいは開口に沿って運ばれるが、これらの溝あるいは開口は、この衣料品の内部で都合よく方位付けられており、この第２層は、複数の溝あるいは複数の開口を構成する空所を形成している。
【００７４】
液相の汗および蒸気相の汗が前記第３層へ到達した後に、その液相の汗は、それがそこから容易に蒸発することのできる前記第３層の上に分布する。
【００７５】
この改良型布地の内側第１層も中間第２層を構成する前記モノフィラメント糸も、ともに疎水性であるため汗を吸収しないが、これらは、蒸気相の汗および温かい空気を一種の空隙あるいはチャンバーによって親水性の外側第３層へ導き、その第３層が、液相の汗をすべて吸収し、それを外側環境へ向けて蒸発させる。
【００７６】
従って、この衣料品は、温かい空気、蒸気相の汗および液相の汗を放散させることができる。
【００７７】
湿気が身体から外側環境へ向かって運ばれることで、衣料品の快適度が増大し、使用者の身体に最も近接して存在するこれらの層における湿った区域の形成が防止されあるいは最小限に抑えられる。
【００７８】
実際に、以上のように記載された本発明によれば、従来技術の衣料品および布地に認められた短所が解消されることがわかった。
【００７９】
具体的には、本発明によれば、従来技術の布地に関して、かつ、他の類似した公知の型の布地に関して、蒸気相の汗および液相の汗のより良好な放散を行うことができる、特に衣料品および靴のための改良型布地が提供される。
【００８０】
さらにまた、本発明によれば、より良好に適合することができるとともに生理的にいっそう快適である改良型布地が提供される。
【００８１】
さらにまた、本発明によれば、マウンテンスポーツのための専用衣類からウィンタージャケットあるいはスポーツジャケットさらには下着に到るまでの最も類似点のない衣料品を設けるために採用することができる改良型布地が提供される。
【００８２】
さらにまた、本発明によれば、前記布地で得られた商品の使用者の身体における自然体温調節が可能である改良型布地が提供される。
【００８３】
さらにまた、本発明によれば、公知のシステムおよび技術で費用をあまりかけることなく製造することのできる改良型布地が提供される。
【００８４】
以上のように構想された本発明は、添付された特許請求の範囲の適用範囲内にすべてがある多数の修正および変形を受け入れることができ、すべての細部は、技術的に等価な他の要素でさらに置き換えることができる。
【００８５】
実際に、使用される材料は、それらが特定の用途に適合する限り、寸法と同様に、諸要件および最新技術に従った任意のものであってよい。
【００８６】
この出願が優先権を主張するイタリア特許出願番号第ＰＤ２００６Ａ００００９８号における開示は、引用によってこの明細書に組み入れられる。
【００８７】
特許請求の範囲において言及された技術的特徴が参照符号に従う場合には、それらの参照符号は、特許請求の範囲の理解度を増大させるという唯一の目的だけのために含まれたものであり、従って、そのような参照符号には、そのような参照符号によって一例として特定されたそれぞれの要素の解釈における限定的効果はまったくない。
【図面の簡単な説明】
【００８８】
【図１】図１は、本発明による改良型布地の第１実施形態における概略斜視図である。
【図２】図２は、本発明による改良型布地の第２実施形態における概略斜視図である。
【図３】図３は、本発明による改良型布地の第３実施形態の第１変形例における概略斜視図である。
【図４】図４は、本発明による改良型布地の第３実施形態の第２変形例における概略斜視図である。
【図５】図５は、本発明による改良型布地の第４実施形態における概略斜視図である。
【図６】図６は、本発明による改良型布地の、使用者の皮膚に近い部分の概略断面図である。
【図１】
2009530139.tif 000003
【図２】
2009530139.tif 000004
【図３】
2009530139.tif 000005
【図４】
2009530139.tif 000006
【図５】
2009530139.tif 000007
【図６】
2009530139.tif 000008
【国際調査報告】
2009530139.tif 000009
2009530139.tif 000010
2009530139.tif 000011